(57)【特許請求の範囲】
【請求項１】
一方の主面に、複数の凹部又は凸部が設けられ且つ白色光で照明した際に指向性散乱光を射出するように構成された第１領域を備えたレリーフ層と、
前記レリーフ層の前記一方の主面もしくは前記一方の主面と反対側の他方の主面の少なくとも一部と向き合っているか、又は、前記レリーフ層と面内方向に隣り合った印刷層と
を具備した表示体であって、
前記レリーフ層の前記他方の主面側における前記表示体の面を前記表示体の前面とする場合に、前記表示体の前面側から白色光で照明した際に前記散乱光に対応した色を表示する第１表示部と、前記表示体の前面側から白色光で照明した際に前記印刷層に起因した色を表示する第２表示部とを備え、
前記表示体の前面側から、前記指向性散乱光の強度が最大となる方向と前記表示体の法線方向とを含んだ平面内において前記表示体の前記法線方向に対して０゜以上２０゜未満の入射角で白色光を照射し且つ前記表示体の正面から観察する第１条件では、前記第１表示部と前記第２表示部とは互いに同一の色を表示し、
前記表示体の前面側から、前記指向性散乱光の強度が最大となる方向と前記表示体の前記法線方向とを含んだ平面内において前記表示体の前記法線方向に対して前記平面内において３０゜以上７０゜未満の範囲内の入射角で白色光を照射し且つ前記表示体の正面から観察する第２条件では、前記第１表示部と前記第２表示部とが互いに異なった色を表示することによって潜像が可視化され、
前記第２表示部の少なくとも一部が、照明角度又は観察角度に応じて色が変化する機能性インキを用いて形成される、表示体。
【請求項２】
前記第１表示部は、前記第１領域を含み且つ前記印刷層を含んでいないか、又は、前記第１領域及び前記印刷層の双方を含み且つ前記第１領域が前記印刷層に対して前記表示体の前面側に位置している請求項１に記載の表示体。
【請求項３】
前記第２表示部は、前記印刷層を含み且つ前記第１領域を含んでいないか、又は、前記印刷層及び前記第１領域の双方を含み且つ前記印刷層が前記第１領域に対して前記表示体の前面側に位置している請求項１又は２に記載の表示体。
【請求項４】
前記第２表示部は、前記第１領域と、前記第１領域を被覆した前記印刷層とを含み、
前記第２表示部において、前記レリーフ層と前記印刷層とは屈折率が互いに等しい請求項１又は２に記載の表示体。
【請求項５】
前記第１条件において、以下の関係が成立している請求項１乃至４の何れか１項に記載の表示体。
【数１】
0005793852.tif 000004
式中、Ｒ１１は、前記第１条件において前記第１表示部から射出される散乱光の強度を、同一条件において標準白色板から射出される散乱光の強度によって規格化した値を意味しており；Ｒ１２は、前記第１条件において前記第２表示部から射出される散乱光の強度を、同一条件において標準白色板から射出される散乱光の強度によって規格化した値を意味している。
【請求項６】
前記第２条件において、以下の関係が成立している請求項１乃至５の何れか１項に記載の表示体。
【数２】
0005793852.tif 000005
式中、Ｒ２１は、前記第２条件において前記第１表示部から射出される散乱光の強度を、同一条件において標準白色板から射出される散乱光の強度によって規格化した値を意味しており；Ｒ２２は、前記第２条件において前記第２表示部から射出される散乱光の強度を、同一条件において標準白色板から射出される散乱光の強度によって規格化した値を意味している。
【請求項７】
前記レリーフ層は、前記第１領域と隣り合い且つ平坦面からなる第２領域を更に備え、前記第２表示部は前記第２領域を更に含んでいる請求項１乃至６の何れか１項に記載の表示体。
【請求項８】
前記レリーフ層の前記主面は前記第１領域のみからなり、前記第１表示部は、前記第１領域を含み且つ前記印刷層を含んでおらず、前記第２表示部は、前記第１領域と前記印刷層との双方を含んでおり、前記第２表示部において、前記印刷層と前記レリーフ層とは屈折率が互いに等しい請求項１乃至７の何れか１項に記載の表示体。
【請求項９】
前記第１表示部は前記第１領域を含み、前記第１表示部において、前記第１領域の少なくとも一部は反射層によって被覆されている請求項１乃至８の何れか１項に記載の表示体。
【請求項１０】
請求項１乃至９の何れか１項に記載の表示体と、前記表示体を支持した物品とを具備した表示体付き物品。
【発明の詳細な説明】
【技術分野】
【０００１】
本発明は、表示体及び表示体付き物品に関する。
【背景技術】
【０００２】
キャッシュカード、クレジットカード及びパスポートなどの認証物品並びに商品券及び株券などの有価証券には、偽造が困難であることが望まれる。そのため、従来から、そのような物品には、その偽造を抑止すべく、偽造又は模造が困難であると共に、偽造品や模造品との区別が容易なラベルが貼り付けられている。
【０００３】
また、近年では、認証物品及び有価証券以外の物品についても、偽造品の流通が問題視されている。そのため、このような物品に、認証物品及び有価証券に関して上述した偽造防止技術を適用する機会が増えている。
【０００４】
特許文献１には、光散乱パターンおよび回折格子パターンから成るディスプレイが記載されている。このディスプレイでは、表面の微細な凹凸により形成される光散乱パターンと回折格子パターンとが画素毎に分割され、双方のパターンが白色に光って見えるようになっている。
【０００５】
この表示体は、回折光を利用して画像を表示するため、印刷技術や電子写真技術を利用した偽造等は不可能である。したがって、この表示体を真偽判定用のラベルとして物品に取り付ければ、このラベルが表示する画像を見てその物品が真正品であることを確認することができる。それゆえ、このラベルを取り付けた物品は、このラベルを取り付けていない物品と比較して偽造され難い。
【０００６】
しかしながら、このような表示体の偽造防止効果には、更なる改善の余地がある。なお、ここでは、偽造又は模造が困難であること、及び、偽造品又は模造品との区別が容易であることを「偽造防止効果」と呼ぶ。
【先行技術文献】
【特許文献】
【０００７】
【特許文献１】特開２００７−２１９５５１号公報
【発明の概要】
【発明が解決しようとする課題】
【０００８】
本発明の目的は、偽造防止効果が高い表示体及び表示体付き物品を提供することにある。
【課題を解決するための手段】
【０００９】
本発明の第１側面によると、一方の主面に、複数の凹部又は凸部が設けられ且つ白色光で照明した際に指向性散乱光を射出するように構成された第１領域を備えたレリーフ層と、レリーフ層の前記一方の主面もしくは前記一方の主面と反対側の他方の主面の少なくとも一部と向き合っているか、又は、前記レリーフ層と面内方向に隣り合った印刷層とを具備した表示体であって、前記レリーフ層の前記他方の主面側における前記表示体の面を前記表示体の前面とする場合に、前記表示体の前面側から白色光で照明した際に前記散乱光に対応した色を表示する第１表示部と、前記表示体の前面側から白色光で照明した際に前記印刷層に起因した色を表示する第２表示部とを備え、表示体の前面側から、指向性散乱光の強度が最大となる方向と表示体の法線方向とを含んだ平面内において前記表示体の前記法線方向に対して０゜以上２０゜未満の入射角で白色光を照射し且つ表示体の正面から観察する第１条件では、第１表示部と第２表示部とは互いに同一の色を表示し、表示体の前面側から、指向性散乱光の強度が最大となる方向と表示体の法線方向とを含んだ平面内において前記表示体の前記法線方向に対して平面内において３０゜以上７０゜未満の範囲内の入射角で白色光を照射し且つ表示体の正面から観察する第２条件では、第１表示部と第２表示部とが互いに異なった色を表示することによって潜像が表示され、第２表示部の少なくとも一部が、照明角度又は観察角度に応じて色が変化する機能性インキを用いて形成される表示体が提供される。
【００１０】
本発明の第２側面によると、第１側面に係る表示体と、前記表示体を支持した物品とを具備した表示体付き物品が提供される。
【発明の効果】
【００１１】
本発明によると、偽造防止効果が高い表示体及び表示体付き物品を提供することが可能となる。
【図面の簡単な説明】
【００１２】
【図１】本発明の一態様に係る表示体の一例を示す平面図。
【図２】図１に示す表示体のＩＩ−ＩＩ線に沿った断面図。
【図３】第１領域の構成例を概略的に示す平面図。
【図４】表示体と照明光源と観察者との位置関係を示す概略図。
【図５】図１及び図２に示す表示体を他の照明角度から照明した場合に観察される像の一例を示す平面図。
【図６】図１及び図２に示す表示体を他の観察角度から観察した場合に観察される像の一例を示す斜視図。
【図７】一変形例に係る表示体を概略的に示す断面図。
【図８】他の変形例に係る表示体を概略的に示す断面図。
【図９】他の変形例に係る表示体を概略的に示す断面図。
【図１０】他の変形例に係る表示体を概略的に示す断面図。
【図１１】表示体付き物品の一例を概略的に示す平面図。
【図１２】入射角と相対散乱光強度との関係の一例を示すグラフ。
【発明を実施するための形態】
【００１３】
以下、本発明の態様について、図面を参照しながら詳細に説明する。なお、同様又は類似した機能を発揮する構成要素には全ての図面を通じて同一の参照符号を付し、重複する説明は省略する。
【００１４】
図１は、本発明の一態様に係る表示体の一例を示す平面図である。図２は、図１に示す表示体のＩＩ−ＩＩ線に沿った断面図である。図１及び図２では、表示体１００の主面に平行であり且つ互いに直交する方向をＸ方向及びＹ方向とし、表示体１００の主面に垂直な方向をＺ方向としている。
【００１５】
図１及び図２に示す表示体１００は、基材１０と、レリーフ層２０と、反射層３０と、第１印刷層４０Ａと、第２印刷層４０Ｂと、保護層５０とを含んでいる。図１及び図２には、一例として、印刷層４０Ａ及び４０Ｂがレリーフ層２０に対して前面側に位置している場合を描いている。
【００１６】
図１及び図２に示す表示体１００は、第１表示部ＤＰ１と第２表示部ＤＰ２とを含んでいる。第１表示部ＤＰ１は、レリーフ層２０のうち後述する第１領域Ｒ１に対応した部分と、第２印刷層４０Ｂとを含んでいる。第２表示部ＤＰ２は、レリーフ層２０のうち後述する第２領域Ｒ２に対応した部分と、第１印刷層４０Ａとを含んでいる。
【００１７】
第１表示部ＤＰ１は、白色光で照明すると、第１領域Ｒ１から射出される指向性散乱光に対応した色を表示する。第２表示部ＤＰ２は、白色光で照明すると、第１印刷層４０Ａに起因した色を表示する。第１表示部ＤＰ１と第２表示部ＤＰ２とは、後で詳しく説明するように、潜像を形成している。
【００１８】
以下、図１及び図２に示す表示体１００が含んでいる各構成要素について、その概要を説明する。  
基材１０としては、例えば、可視光透過性を有する樹脂からなるフィルム又はシートを用いる。この樹脂としては、例えば、ポリエチレンテレフタレート（ＰＥＴ）、ポリカーボネート（ＰＣ）、及びトリアセチルセルロース（ＴＡＣ）が挙げられる。また、基材１０として、ガラスなどの無機材料を用いてもよい。
【００１９】
図１及び図２に示す表示体１００では、基材１０は、レリーフ層２０及び第１印刷層４０Ａの前面側に位置している。この場合、基材１０としては、可視光領域の光に対して透明なものを用いることが好ましい。典型的には、基材１０として、無色且つ透明なものを用いる。
【００２０】
基材１０は、単層構造を有していてもよく、多層構造を有していてもよい。また、この基材１０は、反射防止処理、低反射防止処理、ハードコート処理、帯電防止処理及び防汚処理などの処理を施したものであってもよい。基材１０は、省略してもよい。
【００２１】
レリーフ層２０は、基材１０の一方の主面の少なくとも一部と向き合っている。レリーフ層２０の基材１０と反対側の主面は、第１領域Ｒ１と第２領域Ｒ２とを備えている。領域Ｒ１及びＲ２は、それぞれ、表示部ＤＰ１及びＤＰ２を構成している。
【００２２】
第１領域Ｒ１は、複数の凹部又は凸部を含んでおり、白色光で照明した際に指向性散乱光を射出するように構成されている。即ち、第１領域Ｒ１には、白色光で照明した際に指向性散乱光を射出するように構成された複数の凹部又は凸部が設けられている。第１領域Ｒ１の構成例については、後で詳しく説明する。  
第２領域Ｒ２は、平坦面からなる。第２領域Ｒ２は、省略してもよい。
【００２３】
レリーフ層２０の材料としては、例えば、可視光透過性を有する樹脂を使用することができる。特には、熱可塑性樹脂、熱硬化性樹脂又は光硬化性樹脂を使用すると、原版を用いた転写により、上記の複数の凹部又は凸部を容易に形成することができる。なお、基材１０の材料とレリーフ層２０の材料とは、互いに同一であってもよく、互いに異なっていてもよい。
【００２４】
反射層３０は、レリーフ層２０の主面のうち、第１領域Ｒ１の少なくとも一部を被覆している。典型的には、反射層３０は、レリーフ層２０の主面のうち、第１領域Ｒ１の全体を被覆している。図１及び図２には、一例として、反射層３０が領域Ｒ１及びＲ２の双方を被覆している場合を描いている。
【００２５】
反射層３０は、レリーフ層２０のうち第１領域Ｒ１に対応した部分とは、屈折率が異なっている。この反射層３０を設けることにより、第１領域Ｒ１を含んだ界面における反射率を増大させることができる。それゆえ、これにより、第１領域Ｒ１から射出される散乱光の視認性を向上させることができる。また、反射層３０を設けることにより、第１領域Ｒ１に設けられた複数の凹部又は凸部の損傷を生じ難くすることも可能となる。
【００２６】
反射層３０の材料としては、例えば、Ａｌ及びＡｇなどの金属材料を用いることができる。或いは、反射層３０の材料として、レリーフ層２０とは屈折率が異なった誘電体からなる透明材料を用いてもよい。反射層３０は、単層構造を有していてもよく、多層構造を有していてもよい。
【００２７】
このような反射層３０は、例えば、蒸着及びスパッタリングなどの薄膜形成技術により形成することができる。また、反射層３０の存在する領域を空間的に分布させることにより、この反射層３０の分布を用いて、図柄を表現することもできる。なお、反射層３０は、省略してもよい。
【００２８】
印刷層４０Ａ及び４０Ｂは、基材１０とレリーフ層２０との間に介在している。印刷層４０Ａ及び４０Ｂは、それぞれ、表示部ＤＰ２及びＤＰ１を構成している。
【００２９】
第１印刷層４０Ａは、特定の観察条件において、第１表示部ＤＰ１と第２表示部ＤＰ２とが互いに同一の色を表示するように構成する。例えば、この特定の観察条件として、表示体１００を正面から照明し且つ正面から観察する条件を考える。この条件下において、第１表示部ＤＰ１が特定の色相、明度及び彩度の色を表示する場合、印刷層４０Ａとしては、例えば、上記の条件において、第２表示部ＤＰ２が、ほぼ同一の色相、明度及び彩度の色を表示するような構成を採用する。
【００３０】
第２印刷層４０Ｂとしては、領域Ｒ１から射出される散乱光に悪影響を与えない構成を採用する。例えば、印刷層４０Ｂは、無色且つ透明とする。或いは、印刷層４０Ｂは、省略してもよい。
【００３１】
印刷層４０Ａ及び４０Ｂの各々は、例えば、インキを用いて形成する。このインキとしては、印刷方式に応じて、オフセットインキ、活版インキ及びグラビアインキなどを用いることができる。このようなインキとしては、組成の違いに応じて、例えば、樹脂インキ、油性インキ及び水性インキが挙げられる。また、乾燥方式の違いに応じて、例えば、酸化重合型インキ、浸透乾燥型インキ、蒸発乾燥型インキ及び紫外線硬化型インキが挙げられる。
【００３２】
また、このインキとして、照明角度又は観察角度に応じて色が変化する機能性インキを使用してもよい。このような機能性インキとしては、例えば、光学的変化インキ（Ｏｐｔｉｃａｌ Ｖａｒｉａｂｌｅ Ｉｎｋ）、カラーシフトインキ及びパールインキが挙げられる。第１印刷層４０Ａの材料として機能性インキを採用した場合の付随的な効果については、後で詳しく説明する。
【００３３】
或いは、印刷層４０Ａ及び４０Ｂの各々は、トナーを用いて形成してもよい。この場合、例えば、帯電性を持ったプラスチック粒子に黒鉛及び顔料等の色粒子を付着させたトナーを準備する。そして、帯電による静電気を利用して、トナーを基材に転写させ、これを加熱し定着させることで印刷層を形成する。
【００３４】
保護層５０は、反射層３０を間に挟んで、レリーフ層２０と向き合っている。この保護層５０は、第１領域Ｒ１に設けられた複数の凹部又は凸部を保護する役割を担っている。保護層５０の材料としては、例えば、樹脂を使用する。保護層５０は、省略してもよい。或いは、保護層５０として、接着層又は粘着層を設けてもよい。
【００３５】
次に、第１領域Ｒ１の構成例、及び、第１領域Ｒ１に起因した光学効果について説明する。  
第１領域Ｒ１は、上述した通り、白色光で照明した際に指向性散乱光を射出するように構成されている。この第１領域Ｒ１が通常の照明条件下において射出する指向性散乱光は、典型的には、白色光である。したがって、第１表示部ＤＰ１は、典型的には、明度及び彩度の高い色（例えば白色又は薄灰色）を表示する。  
なお、ここで「通常の照明条件」とは、例えば、室内で蛍光灯等の照明下、照明光源からの光が表示体１００の前面に略垂直に入射し、観察者が目視によって表示体１００を観察する条件、又は、室外で太陽光等の照明下、照明光源からの光が表示体１００の前面に略垂直に入射し、観察者が目視によって表示体１００を観察する条件を意味している。
【００３６】
図３は、第１領域の構成例を概略的に示す平面図である。図３には、第１領域Ｒ１の一部を拡大して示している。図３では、複数の凹部又は凸部の各々を、線分として描いている。
【００３７】
図３に示す例では、第１領域Ｒ１は、各々が直線状であり且つ面内で方向が揃った複数の凹部又は凸部を含んでいる。以下、第１領域Ｒ１の主面に平行な方向のうち、第１領域Ｒ１が最小の光散乱能を示す方向を「配向方向」と呼び、第１領域Ｒ１が最大の光散乱能を示す方向を「光散乱方向」と呼ぶ。図３に示す例では、配向方向はＸ軸に平行であり、光散乱方向はＹ軸に平行である。
【００３８】
第１領域Ｒ１は、光散乱能について、異方性を有している。例えば、第１領域Ｒ１を配向方向に垂直な斜め方向から照明して、第１領域Ｒ１を正面から観察する条件では、第１領域Ｒ１は、その高い光散乱能に起因して、比較的明るく見える。他方、第１領域Ｒ１を光散乱方向に垂直な斜め方向から照明して、第１領域Ｒ１を正面から観察する条件では、第１領域Ｒ１は、その低い光散乱能に起因して、比較的暗く見える。
【００３９】
以上から明らかなように、例えば、第１領域Ｒ１を斜め方向から照明し且つこれを正面から観察する条件下、第１領域Ｒ１をその法線方向を軸として回転させると、その明度が次第に変化する。したがって、表示体１００の第１表示部ＤＰ１は、その法線方向を軸として観察方向を回転させると、その明度が次第に変化する。即ち、表示体１００の観察方向を法線方向を軸として回転させることにより、第１表示部ＤＰ１により表示される像を変化させることができる。
【００４０】
第１表示部ＤＰ１の明度は、第１領域Ｒ１に設ける凹部又は凸部の構成により制御することができる。例えば、各凹部又は凸部の幅を大きくすると、配向方向に垂直な方向における光散乱能を低下させることができる。各凹部又は凸部の長さを大きくすると、光散乱方向に垂直な方向における光散乱能を低下させることができる。
【００４１】
或いは、隣接する凹部又は凸部間の平均間隔を小さくすると、より多くの入射光を散乱させることができるため、光散乱能の異方性を劣化させることなしに、散乱光の強度を増大させることができる。特に、この平均間隔を１０μｍ以下とすると、視認性に特に優れた像を表示することが可能となる。また、この平均間隔を１０μｍ以下とすると、正反射光成分を減らし、光散乱効果を大きくすることが可能となる。
【００４２】
また、複数の凹部又は凸部の配向秩序度を高くすると、第１領域Ｒ１の光散乱能の異方性をより高くすることができる。
【００４３】
各凹部又は凸部の深さ又は高さは、例えば、１００ｎｍ乃至４００ｎｍの範囲内とする。こうすると、成形プロセスを簡易にすることができ、光散乱効果も大きくすることが可能となる。
【００４４】
第１領域Ｒ１において、複数の凹部又は凸部の各々は、ある程度規則的に配置されていてもよく、ランダムに配置されていてもよい。例えば、隣接する凹部又は凸部間の間隔をランダムにすると、配向方向に垂直な方向において観察角度を変化させた場合の散乱光の強度分布がなだらかになる。よって、こうすると、観察角度に応じた明度の変化を抑制することが可能となる。
【００４５】
第１領域Ｒ１中に含まれる複数の凹部又は凸部の各々は、互いに同一の形状を有していてもよく、互いに異なった形状を有していてもよい。前者の場合、第１領域Ｒ１の光散乱能の設計が比較的容易である。また、このような第１領域Ｒ１は、電子線描画装置やステッパなどの微細加工装置を用いることで、高精度で且つ容易に形成することができる。他方、後者の場合、広い角度範囲に亘ってなだらかな光強度分布を有した散乱光が得られる。したがって、この場合、観察位置による明暗の変化が比較的小さい像を表示することが可能となる。
【００４６】
なお、図３には、これら複数の凹部又は凸部の長手方向が互いに平行である場合を描いているが、これらは、互いに交差していてもよい。また、図３には、各凹部又は凸部が直線状である場合を描いているが、これらは、曲線状であってもよい。即ち、各凹部又は凸部は、湾曲した形状を有していてもよい。
【００４７】
レリーフ層２０の主面には、第１領域Ｒ１を２つ以上設けてもよい。この場合、例えば、複数の第１領域Ｒ１の間で、光散乱方向を異ならせてもよい。こうすると、特定の方向から観察する場合に、これら領域間に明度の差を生じさせることができる。このような構成を採用する場合には、光散乱方向の角度差を十分に大きくするか又は各々の光散乱能の異方性を十分に高くすることが好ましい。この場合、２つの領域間での光散乱方向の角度差は、例えば、３０゜以上とすることが好ましい。
【００４８】
次いで、第１表示部ＤＰ１と第２表示部ＤＰ２との組み合わせに基づいた光学効果について説明する。  
上述した通り、表示体１００の観察方向を法線方向を軸として回転させることにより、第１表示部ＤＰ１の明度を変化させることができる。他方、第２表示部ＤＰ２では、典型的には、このような変化を生じない。したがって、上記の観察方向の変化により、例えば、第１表示部ＤＰ１と第２表示部ＤＰ２とが形成している潜像を可視化することが可能となる。或いは、この観察方向の変化により、第１表示部ＤＰ１と第２表示部ＤＰ２との組み合わせにより表示される像の視認性を変化させることが可能となる。
【００４９】
また、表示体１００の法線方向に対する観察角度又は照明角度を変化させた場合にも、第１表示部ＤＰ１と第２表示部ＤＰ２とでは、互いに異なった変化が生じる。
【００５０】
例えば、上述した第１領域Ｒ１の設計により、第１表示部ＤＰ１には、観察角度又は照明角度の変化に対する明度の変化が、第２表示部ＤＰ２と比較してより小さい構成を採用することができる。或いは、第１表示部ＤＰ１には、観察角度又は照明角度の変化に対する明度の変化が、第２表示部ＤＰ２と比較してより大きい構成を採用することもできる。
【００５１】
したがって、表示体１００では、上記の観察角度又は照明角度の変化により、例えば、第１表示部ＤＰ１と第２表示部ＤＰ２とが形成している潜像を可視化することが可能となる。以下、この点について、詳しく説明する。
【００５２】
図４は、表示体と照明光源と観察者との位置関係を示す概略図である。図５は、図１及び図２に示す表示体を他の照明角度から照明した場合に観察される像の一例を示す平面図である。図６は、図１及び図２に示す表示体を他の観察角度から観察した場合に観察される像の一例を示す斜視図である。
【００５３】
図４に示す例は、表示体１００の前面側から、法線方向Ｎに対してθの入射角で、照明光源ＬＳからの照明光ＩＬを入射させている。そして、この例では、観察者ＯＢは、表示体１００を正面から観察している。
【００５４】
図４に示す例において、照明光ＩＬは、ＹＺ平面内に位置している。即ち、図４に示す例では、第１表示部ＤＰ１から射出される指向性散乱光の強度が最大となる方向と法線方向Ｎとを含んだ平面内において、入射角θで、照明光ＩＬを入射させている。なお、以下では、照明光ＩＬは、白色光であるとする。
【００５５】
まず、上記入射角θが０゜≦θ＜２０゜を満足している第１条件を考える。この条件では、図１に示すように、表示体１００の第１表示部ＤＰ１と第２表示部ＤＰ２とは、互いに同一の色を表示する。即ち、この条件では、第１表示部ＤＰ１と第２表示部ＤＰ２とは、互いに識別できない。
【００５６】
上記第１条件においては、第１表示部ＤＰ１と第２表示部ＤＰ２とで、射出する散乱光の強度の差が小さいことが好ましい。特に、上記第１条件においては、以下の関係が成立していることがより好ましい。
【数１】
0005793852.tif 000002
【００５７】
式中、Ｒ１１は、上記第１条件において第１表示部ＤＰ１から射出される散乱光の強度を、同一条件において標準白色板から射出される散乱光の強度によって規格化した値を意味しており；Ｒ１２は、上記第１条件において第２表示部ＤＰ２から射出される散乱光の強度を、同一条件において標準白色板から射出される散乱光の強度によって規格化した値を意味している。
【００５８】
この場合、上記第１条件において、第１表示部ＤＰ１と第２表示部ＤＰ２との識別はより困難である。それゆえ、この場合、上記第１条件において、これら表示部の組み合わせによる像は、より視認され難い。
【００５９】
上記の値｜Ｒ１１−Ｒ１２｜は、０．５未満であることがより好ましく、０．１未満であることが更に好ましい。こうすると、上記第１条件において、第１表示部ＤＰ１と第２表示部ＤＰ２との識別を更に困難とすることができる。
【００６０】
また、値Ｒ１１は、２．５以上であることが好ましく、３．５以上であることがより好ましい。このような構成を採用すると、第１表示部ＤＰ１の視認性を更に高くすることができる。
【００６１】
次に、上記入射角θが３０゜≦θ＜７０゜を満足している第２条件を考える。この条件では、図５に示すように、表示体１００の第１表示部ＤＰ１と第２表示部ＤＰ２とは、互いに異なった色を表示する。即ち、この条件では、第１表示部ＤＰ１と第２表示部ＤＰ２とは、互いに識別することができる。
【００６２】
上記第２条件においては、第１表示部ＤＰ１と第２表示部ＤＰ２とで、射出する散乱光の強度の差が大きいことが好ましい。特に、上記第２条件においては、以下の関係が成立していることがより好ましい。
【数２】
0005793852.tif 000003
【００６３】
式中、Ｒ２１は、上記第２条件において第１表示部ＤＰ１から射出される散乱光の強度を、同一条件において標準白色板から射出される散乱光の強度によって規格化した値を意味しており；Ｒ２２は、上記第２条件において第２表示部ＤＰ２から射出される散乱光の強度を、同一条件において標準白色板から射出される散乱光の強度によって規格化した値を意味している。
【００６４】
この場合、上記第２条件において、第１表示部ＤＰ１と第２表示部ＤＰ２との識別はより容易である。それゆえ、この場合、上記第２条件において、これら表示部の組み合わせによる像は、より視認され易い。
【００６５】
上記の値｜Ｒ２１−Ｒ２２｜は、０．５以上であることがより好ましく、１．５以上であることが更に好ましい。こうすると、上記第２条件において、第１表示部ＤＰ１と第２表示部ＤＰ２との識別を更に容易にすることができる。
【００６６】
また、値Ｒ２１は、２．５以上であることが好ましく、３．５以上であることがより好ましい。このような構成を採用すると、第１表示部ＤＰ１の視認性を高くすることができる。
【００６７】
このように、図１及び図２に示す表示体１００では、第１表示部ＤＰ１と第２表示部ＤＰ２とは、潜像を形成している。そして、この潜像は、表示体１００の法線方向に対する照明角度を変化させることにより、可視化することができる。なお、図６に示すように、潜像の可視化は、表示体１００の法線方向に対する観察角度を変化させることによっても達成できる。
【００６８】
上述した潜像は、例えば、以下のようにして形成する。まず、第１領域Ｒ１に、特定の観察条件において特定の色を表示するように、複数の凹部又は凸部を形成する。例えば、特定の観察条件において、第１表示部ＤＰ１が特定の明度の白色を表示するようにする。次に、上記特定の観察条件において、第１表示部ＤＰ１と同じ色を表示するインキ又はトナーを用いて、第１印刷層４０Ａを形成する。例えば、上記特定の観察条件において、第２表示部ＤＰ２が、上記特定の明度の白色を表示するようにする。こうすると、上記の特定の観察条件において、第１表示部ＤＰ１と第２表示部ＤＰ２とを、互いから識別不可能とすることができる。
【００６９】
上述した通り、第１表示部ＤＰ１は、第１領域Ｒ１が射出する散乱光に対応した色を表示する。また、第２表示部ＤＰ２は、第１印刷層４０Ａに対応した色を表示する。これら各表示部が表示する色は、表示体１００の法線方向Ｎに対する照明角度又は観察角度に応じて、互いに異なった変化を示す。それゆえ、上記潜像は、表示体１００の法線方向Ｎに対する照明角度又は観察角度を変化させることにより、可視化することができる。
【００７０】
以上のような光学効果は、複写機等による複写によっては再現できない。また、第１領域Ｒ１の設計及び作製、並びに、それに対応した第１印刷層４０Ａの材料の選定を、表示体１００を偽造しようとする者が自ら行うことは極めて困難である。加えて、上記の光学効果は、特殊な機器を使用することなしに、真偽判定が不慣れな観察者であっても、容易に認識することができる。それゆえ、図１及び図２に示す表示体１００は、高い偽造防止効果を有している。
【００７１】
次いで、第１印刷層４０Ａの少なくとも一部が、照明角度又は観察角度に応じて色が変化する機能性インキを用いて形成されている場合の付随的な効果について説明する。
【００７２】
このような構成を採用した場合、表示体１００は、照明角度又は観察角度に応じて、第１表示部ＤＰ１と第２表示部ＤＰ２との組み合わせによる像の変化と、機能性インキに基づいた第２表示部ＤＰ２の表示色の変化との双方を呈する。よって、この場合、表示体１００を傾けて真偽判定を行う行為に不慣れな者であっても、容易に色変化を認識することができ、より確実に真偽判定を行うことができる。また、この場合、表示体１００の偽造は、更に困難となる。
【００７３】
特に、第１表示部ＤＰ１と第２表示部ＤＰ２との組み合わせによる潜像が可視化する角度と、機能性インキによって第２表示部ＤＰ２の色が変化する角度とを一致させると、双方の変化を、同時に観察させることができる。よって、この場合、更に確実な真偽判定を行うことが可能となる。
【００７４】
以下、図１乃至図６を参照しながら説明した表示体１００の変形例を説明する。  
図７は、一変形例に係る表示体を概略的に示す断面図である。図７に示す表示体１００は、印刷層４０Ａ及び４０Ｂが、基材１０を間に挟んでレリーフ層２０と向き合っていることを除いては、図１及び図２に示す表示体と同様の構成を有している。
【００７５】
図７に示す構成を採用した場合にも、図１乃至図６を参照しながら説明した光学効果を達成することができる。即ち、このような構成を採用した場合でも、優れた偽造防止効果を達成することができる。
【００７６】
図８は、他の変形例に係る表示体を概略的に示す断面図である。図８に示す表示体１００は、以下の点を除いては、図１及び図２に示す表示体と同様の構成を有している。  
即ち、図８に示す表示体１００では、レリーフ層２０と第１印刷層４０Ａとは、面内方向で隣り合っている。また、第１領域Ｒ１は、レリーフ層２０の一方の主面の全体を占めている。即ち、第２領域Ｒ２は、省略されている。加えて、第２印刷層４０Ｂも、省略されている。
【００７７】
図８に示す構成を採用した場合にも、図１乃至図６を参照しながら説明した光学効果を達成することができる。即ち、このような構成を採用した場合でも、優れた偽造防止効果を達成することができる。
【００７８】
なお、図８では、レリーフ層２０と第１印刷層４０Ａとが面内方向で隣接している場合を描いているが、これら層は、他の層を間に挟んで隣り合っていてもよい。即ち、これら層は、面内方向で隣り合い且つ互いに離間していてもよい。
【００７９】
図９は、他の変形例に係る表示体を概略的に示す断面図である。図９に示す表示体１００は、以下の点を除いては、図１及び図２に示す表示体と同様の構成を有している。
【００８０】
即ち、図９に示す表示体１００では、第１印刷層４０Ａは、レリーフ層２０のうち第２領域Ｒ２に対応した部分を間に挟んで、基材１０と向き合っている。また、反射層３０は、レリーフ層２０の主面のうち第１領域Ｒ１のみを被覆している。更には、第２印刷層４０Ｂは、省略されている。
【００８１】
図９に示す構成を採用した場合にも、図１乃至図６を参照しながら説明した光学効果を達成することができる。即ち、このような構成を採用した場合でも、優れた偽造防止効果を達成することができる。
【００８２】
図１０は、他の変形例に係る表示体を概略的に示す断面図である。図１０に示す表示体１００は、以下の点を除いては、図１及び図２に示す表示体と同様の構成を有している。
【００８３】
即ち、図１０に示す表示体１００では、第１領域Ｒ１は、レリーフ層２０の一方の主面の全体を占めている。また、第１印刷層４０Ａは、この第１領域Ｒ１の一部を被覆している。そして、反射層３０は、第１領域Ｒ１の他の一部を被覆している。表示体１００の第２表示部ＤＰ２では、レリーフ層２０と第１印刷層４０Ａとは、屈折率が互いに等しい。
【００８４】
このような構成を採用した場合、第１領域Ｒ１のうち第１印刷層４０Ａに被覆された部分は、白色光で照明しても、第１領域Ｒ１に起因した指向性散乱光を射出することができない。それゆえ、第２表示部ＤＰ２は、第１印刷層４０Ａに対応した色を表示する。
【００８５】
したがって、図１０に示す構成を採用した場合にも、図１乃至図６を参照しながら説明した光学効果を達成することができる。即ち、このような構成を採用した場合でも、優れた偽造防止効果を達成することができる。
【００８６】
また、図１０に示す構成を採用した場合、レリーフ層２０の一方の主面に、第１領域Ｒ１をパターン状に形成する必要がない。それゆえ、このような構成を有した表示体１００は、レリーフ層２０の作製のための原版を用いることなしに、製造することができる。よって、このような構成は、少数製品を製造する場合に、特に有利である。
【００８７】
図１乃至図１０を参照しながら説明した表示体１００において、第１領域Ｒ１は、セル単位で形成されていてもよい。これらセルを画素として配することで、容易に表示画像を規定することができる。その際、第１領域の各々における複数の凹部又は凸部の配置は、ランダムであることが好ましい。こうすると、より高い光散乱効果を実現できる。
【００８８】
なお、第１領域Ｒ１をセル単位で形成する場合、セルの一辺の大きさを１００μｍ程度とすることは十分に可能である。この場合、通常の観察条件における人間の目の分解能以下の細かさで像を表示することができる。すなわち、十分に高精細な像を表示できる。
【００８９】
図１乃至図１０を参照しながら説明した表示体１００は、粘着ラベル及び転写箔などの一部として使用してもよい。また、表示体１００は、印刷物などの表示体付き物品の一部として使用してもよい。
【００９０】
図１１は、表示体付き物品の一例を概略的に示す平面図である。図１１には、表示体付き物品の一例として、印刷物２００を描いている。この印刷物２００は、磁気カードであって、基材２０１を含んでいる。基材２０１は、例えば、プラスチックからなる。
【００９１】
基材２００上には、印刷層２０２が形成されている。基材２００の印刷層２０２が形成された面には、上述した表示体１００が、例えば粘着層を介して固定されている。表示体１００は、例えば、粘着ステッカとして又は転写箔として準備しておき、これを印刷層２０２に貼りつけることにより、基材２００に固定する。
【００９２】
この印刷物２００は、上述した表示体１００を含んでいる。それゆえ、この印刷物２００は、偽造防止効果に優れている。この印刷物２００は、表示体１００に加えて、印刷層２０２を更に含んでいる。したがって、表示体１００の光学効果を印刷層２０２のそれと比較することにより、表示体１００の光学効果を際立たせることができる。
【００９３】
図１１には、表示体１００を含んだ印刷物として磁気カードを例示しているが、表示体１００を含んだ印刷物は、これに限られない。例えば、表示体１００を含んだ印刷物は、ＩＣ（integrated circuit）カード、無線カード及びＩＤ（identification）カードなどの他のカードであってもよい。或いは、表示体１００を含んだ印刷物は、商品券及び株券などの有価証券であってもよい。或いは、表示体１００を含んだ印刷物は、真正品であることが確認されるべき物品に取り付けられるべきタグであってもよい。或いは、表示体１００を含んだ印刷物は、真正品であることが確認されるべき物品を収容する包装体又はその一部であってもよい。
【００９４】
また、図１１に示す印刷物２００では、表示体１００を基材２０１に貼り付けているが、表示体１００は、他の方法で基材に支持させることができる。例えば、基材として紙を使用した場合、表示体１００を紙に漉き込み、表示体１００に対応した位置で紙を開口させてもよい。或いは、基材として光透過性の材料を使用する場合、その内部に表示体１００を埋め込んでもよく、基材の裏面、即ち表示面とは反対側の面に表示体１００を固定してもよい。
【００９５】
また、ラベル付き物品は、印刷物でなくてもよい。即ち、印刷層を含んでいない物品に表示体１００を支持させてもよい。例えば、表示体１００は、美術品などの高級品に支持させてもよい。  
表示体１００は、偽造防止以外の目的で使用してもよい。例えば、表示体１００は、玩具、学習教材、及び装飾品などとしても利用することができる。
【実施例】
【００９６】
まず、図８に示す構成を備えた表示体１００を製造した。基材１０としては、厚さ５０μｍ程度のポリエチレンテレフタレート（ＰＥＴ）フィルムを用いた。レリーフ層２０の材料としては、厚さ３μｍ程度のＵＶ硬化型樹脂を用いた。第１印刷層４０Ａの材料としては、厚さ３μｍ程度の白色インキを用いた。反射層３０としては、蒸着法によって作製したアルミ層を用いた。保護層５０としては、粘着層を用いた。
【００９７】
この表示体１００では、第１領域Ｒ１には、各々が直線状であり且つ複数の凹部又は凸部が形成されている。凹部又は凸部間の平均間隔は５μｍ以下であり、各凹部又は凸部の深さ又は高さは最大で２００ｎｍ程度である。そして、凹部又は凸部は、指向性散乱構造を形成している。
【００９８】
次に、この表示体１００を、図４に示すように配置した。照明光源ＬＳとしては、白色面光源を用いた。そして、観察者ＯＢの位置に輝度計を配置し、光源入射角θを０°〜７０°の間で変化させたときの相対散乱光強度の変化を測定した。その結果を図１２に示す。
【００９９】
図１２は、入射角と相対散乱光強度との関係の一例を示すグラフである。図１２に示すように、第１表示部ＤＰ１と第２表示部ＤＰ２とは、照明角度θが０゜以上２０゜未満の範囲では、ほぼ同等の散乱光強度で白色光を散乱することが分かった。また、照明角度θが３０゜を越えた辺りから、第1表示部ＤＰ１と第２表示部ＤＰ２の散乱光強度に差が生じていることが分かった。
【０１００】
以上により、表示体１００は、法線方向付近から観察すると、第1表示部ＤＰ１と第２表示部ＤＰ２との双方が白色又は白色に近い薄灰色に知覚されることが分かった。また、この表示体１００は、法線方向から傾斜させて観察した際には、第1表示部ＤＰ１と第２表示部ＤＰ２との散乱光強度の差異に起因して、予め規定した画像を表示できることが分かった。
【符号の説明】
【０１０１】
１０…基材、２０…レリーフ層、３０…反射層、４０Ａ…第１印刷層、４０Ｂ…第２印刷層、５０…保護層、１００…表示体、２００…印刷物、２０１…基材、２０２…印刷層、ＤＰ１…第１表示部、ＤＰ２…第２表示部、ＩＬ…照明光、ＬＳ…照明光源、Ｎ…法線、ＯＢ…観察者、Ｒ１…第１領域、Ｒ２…第２領域。
【図１】
0005793852.tif 000006
【図２】
0005793852.tif 000007
【図３】
0005793852.tif 000008
【図４】
0005793852.tif 000009
【図５】
0005793852.tif 000010
【図６】
0005793852.tif 000011
【図７】
0005793852.tif 000012
【図８】
0005793852.tif 000013
【図９】
0005793852.tif 000014
【図１０】
0005793852.tif 000015
【図１１】
0005793852.tif 000016
【図１２】
0005793852.tif 000017